(57)【要約】  分割ハウジングが半挿入状態のままでスライダが嵌合方向へ操作されるのを防止する。【課題】  【解決手段】  分割ハウジング１２が不正な組付け状態のときには、ランス１５が弾性撓みしてスライダ２０の移動経路中へ進出することにより、スライダ２０の待機位置から嵌合位置への移動が規制される。分割ハウジング１２が正規に組付けられた状態では、ランス１５がスライダ２０の移動経路外へ退避するので、スライダ２０は待機位置から嵌合位置へ移動することができる。【選択図】  図５
2005116366.tif 000002
【特許請求の範囲】
【請求項１】
ハウジング本体に複数の分割ハウジングを組み付けるとともに前記ハウジング本体にスライダを移動可能に取り付けた形態の第１コネクタと、カムフォロアを有する第２コネクタとを備えてなり、
前記スライダを待機位置から嵌合位置へ移動させるのに伴い、前記カムフォロアと前記スライダのカム溝との係合によるカム作用によって前記第１コネクタと前記第２コネクタとが嵌合されるようにしたコネクタにおいて、
前記分割ハウジングが不正な組付け状態のときには前記スライダの移動経路中へ進出することで前記スライダの前記待機位置から前記嵌合位置への移動を規制し、且つ前記分割ハウジングが正規に組付けられた状態のときには前記スライダの移動経路外へ退避して前記スライダの前記待機位置から前記嵌合位置への移動を許容する規制手段が設けられていることを特徴とするコネクタ。
【請求項２】
前記分割ハウジングが前記ハウジング本体に組み付けられる過程ではランスが弾性撓みし、前記分割ハウジングが前記ハウジング本体に組み付けられた状態では前記ランスが弾性復帰することで前記分割ハウジングが抜止めされるようになっているものにおいて、
前記ランスが前記規制手段を兼ねていることを特徴とする請求項１記載のコネクタ。
【請求項３】
前記スライダが前記嵌合位置へ移動して前記第１コネクタと前記第２コネクタとが正規嵌合された状態では、前記スライダが前記ランスに当接することでそのランスの弾性撓みが規制される構成としたことを特徴とする請求項２記載のコネクタ。
【発明の詳細な説明】
【技術分野】
【０００１】
本発明は、スライダの操作によって嵌合を行うコネクタに関する。
【背景技術】
【０００２】
嵌合・離脱の際の操作性向上を図ったコネクタとして、特許文献１に開示されているものがある。これは、第１コネクタに、嵌合・離脱方向と交差する方向に移動可能にスライダを設け、このスライダに嵌合・離脱方向及びスライダの移動方向の双方に対して傾斜したカム溝を形成し、このカム溝に第２コネクタのカムフォロアを係合させた状態でスライダを移動させることにより、カム溝とカムフォロアの係合によるカム作用によって両コネクタを嵌合又は離脱させるようになっている。
【０００３】
また、スライダを用いないタイプのコネクタにおいて、１つのハウジング本体に複数の分割ハウジングを組み付けるもの（例えば、特許文献２を参照）が知られているが、必要に応じて、この分割タイプの構造をスライダタイプのコネクタにも適用することができる。
【０００４】
この分割タイプの構造を第１コネクタに適用した場合、スライダが取り付けられているハウジング本体に対し分割ハウジングを組み付けることになり、その分割ハウジングをハウジング本体に保持する手段として、ハウジング本体に弾性撓み可能なランスを形成し、そのランスを分割ハウジングに係止する構造が考えられる。
【特許文献１】特開２００１−５２８１０公報
【特許文献２】特開平９−１３５５１８号公報
【発明の開示】
【発明が解決しようとする課題】
【０００５】
スライダを用いた分割タイプのコネクタの場合、分割ハウジングが正しく組み付けられていない状態のままでスライダが操作されてしまうと、分割ハウジングの端子と第２コネクタの端子とが正しく接続されなくなる虞がある。
【０００６】
本発明は上記のような事情に基づいて完成されたものであって、分割ハウジングが半挿入状態のままでスライダが嵌合方向へ操作されるのを防止することを目的とする。
【課題を解決するための手段】
【０００７】
上記の目的を達成するための手段として、請求項１の発明は、ハウジング本体に複数の分割ハウジングを組み付けるとともに前記ハウジング本体にスライダを移動可能に取り付けた形態の第１コネクタと、カムフォロアを有する第２コネクタとを備えてなり、前記スライダを待機位置から嵌合位置へ移動させるのに伴い、前記カムフォロアと前記スライダのカム溝との係合によるカム作用によって前記第１コネクタと前記第２コネクタとが嵌合されるようにしたコネクタにおいて、前記分割ハウジングが不正な組付け状態のときには前記スライダの移動経路中へ進出することで前記スライダの前記待機位置から前記嵌合位置への移動を規制し、且つ前記分割ハウジングが正規に組付けられた状態のときには前記スライダの移動経路外へ退避して前記スライダの前記待機位置から前記嵌合位置への移動を許容する規制手段が設けられているところに特徴を有する。
【０００８】
請求項２の発明は、請求項１に記載のものにおいて、前記分割ハウジングが前記ハウジング本体に組み付けられる過程ではランスが弾性撓みし、前記分割ハウジングが前記ハウジング本体に組み付けられた状態では前記ランスが弾性復帰することで前記分割ハウジングが抜止めされるようになっているものにおいて、前記ランスが前記規制手段を兼ねているところに特徴を有する。
【０００９】
請求項３の発明は、請求項２に記載のものにおいて、前記スライダが前記嵌合位置へ移動して前記第１コネクタと前記第２コネクタとが正規嵌合された状態では、前記スライダが前記ランスに当接することでそのランスの弾性撓みが規制される構成としたところに特徴を有する。
【発明の効果】
【００１０】
＜請求項１の発明＞
分割ハウジングが正しく組み付けられていない状態では、規制手段がスライダに係止するので、スライダの待機位置から嵌合位置への移動、即ち両コネクタの嵌合動作が規制される。
【００１１】
＜請求項２の発明＞
ランスが規制手段を兼ねているので、専用の規制手段を設ける場合に比べて構造と形状の簡素化が可能となる。
【００１２】
＜請求項３の発明＞
両コネクタが正規嵌合した状態では、ランスの弾性撓みが規制されるので、分割ハウジングが確実に抜止めされる。
【発明を実施するための最良の形態】
【００１３】
＜実施形態１＞
以下、本発明を具体化した実施形態１を図１乃至図１１を参照して説明する。尚、以下の説明において、前後方向については、図１の左方を前側ということにする。
【００１４】
本実施形態のコネクタは、第１コネクタ１０と第２コネクタ３０とからなり、両コネクタ１０，３０は、スライダ２０の操作によって嵌合又は離脱されるようになっている。
第１コネクタ１０は、合成樹脂製のハウジング本体１１に複数（本実施形態では前後２つ）の分割ハウジング１２を組み付けたものであり、ハウジング本体１１には、両コネクタ１０，３０を嵌合・離脱するためのスライダ２０が移動可能に取り付けられている。ハウジング本体１１は、前面壁１３Ｆ、後面壁１３Ｒ及び左右両側面壁１３Ｓを有し、ハウジング本体１１内には前後２つのキャビティ１４が形成され、各キャビティ１４は、夫々、ハウジング本体１１の上下両面に形成された開口によりハウジング本体１１外へ開放されている。つまり、各キャビティ１４は上下に貫通された形態となっている。
各キャビティ１４の左右両内壁面における後端部には、夫々、内壁面に沿って上方へ片持ち状に延出する形態のランス１５（本発明の構成要件である規制手段）が一対ずつ形成されている。このランス１５は、いずれも左右方向へ弾性撓みし得るようになっており、その上端には、内向きの係止突起１５ａが形成されている。また、各キャビティ１４の前後左右の各内壁面には全周に亘って連続する段差部が形成され、この段差部の上面が受け面１６となっている。
【００１５】
また、ハウジング本体１１には、その左右両側面壁１３Ｓを前後に貫通する形態であって縦長スリット状断面をなす一対のガイド孔１７が形成されている。ガイド孔１７のうちランス１５と対応する領域においては、ランス１５の外面がガイド孔１７内に臨んでおり、これにより、ランス１５がガイド孔１７内（スライダ２０の移動経路内）へ進出するように外側へ弾性撓みし得るようになっている。また、ハウジング本体１１の左右両側面壁１３Ｓには、夫々、ガイド孔１７の底面からハウジング本体１１の下面に貫通する前後一対ずつの誘導孔１８が形成されている。
【００１６】
スライダ２０は、ハウジング本体１１の前面壁１３Ｆと平行な連結板２１と、ハウジング本体１１の左右両側面壁と平行であって連結板２１の左右両側縁から後方へ片持ち状に延出する左右一対の摺動板２２とからなる。かかるスライダ２０は、摺動板２２をガイド孔１７内に上下左右へのガタ付きなく且つ前後方向への移動を可能に嵌合させることにより、待機位置（図１，３，６，８を参照）とこの待機位置よりも後方の嵌合位置（図２，７を参照）との間で前後に平行移動し得るようにハウジング本体１１に支持されている。両摺動板２２には、夫々、スライダ２０の移動方向（即ち、前後方向）と両コネクタ１０，３０の嵌合・離脱方向（即ち、上下方向）の双方向に対して傾斜しているとともに、下端の入口を摺動板２２の下端縁に開放させた形態の前後一対ずつのカム溝２３が形成されている。
【００１７】
かかる左右両摺動板２２には、夫々、前後方向における略中央位置の内側面を縦長の長方形状に切欠した形態の左右一対の凹部２４が形成されている。この凹部２４の高さ方向における形成領域はランス１５と対応する領域とされ、凹部２４の幅寸法（前後方向の寸法）はランス１５の幅（前後方向の寸法）よりも僅かに大きい寸法とされている。また、凹部２４の深さ（左右方向の寸法）は、ランス１５の内面からの係止突起１５ａの突出寸法と同じかそれよりも僅かに大きい寸法とされている。また、凹部２４の前後両内面は、摺動板２２の移動方向（前後方向）に対して直角な平坦面となっている。
【００１８】
かかるスライダ２０は、その摺動板２２に形成した弾性係止片２５をガイド孔１７の内面に形成した係止部（図示せず）に係止させることにより、待機位置と嵌合位置のいずれかにガタ付きなく保持されるようになっているが、この弾性係止片２５による保持は、スライダ２０に所定以上の外力を付与することによって解除され、スライダ２０が移動できるようになっている。スライダ２０が待機位置に保持されている状態では、摺動板２２の凹部２４が前側のランス１５と対応し、摺動板２２の後端は後側のランス１５よりも前方に位置し、カム溝２３の下端の入口がハウジング本体１１の誘導孔１８と対応する。また、スライダ２０が嵌合位置に保持された状態では、前後双方のランス１５の外面に対して摺動板２２の内面が当接又は殆ど隙間を空けずに対向し、ランス１５の外側（ガイド孔１７側）即ち摺動板２２側への弾性撓みが規制される。
【００１９】
分割ハウジング１２は、内部に複数の端子収容部２６が形成されたものであって、各端子収容部２６内には図示しない端子金具が収容されるようになっている。分割ハウジング１２の外周には、ハウジング本体１１の受け面１６に対して上から当接可能なスカート部２７が全周に亘って形成されている。分割ハウジング１２は、ハウジング本体１１のキャビティ１４に対して上から嵌合され、スカート部２７の外面をキャビティ１４の内面に当接させることで前後左右へのガタ付きが規制されている。また、分割ハウジング１２を嵌合する過程では、図５に示すように、ランス１５がスカート部２７と干渉することによって外側へ弾性撓みする。そして、分割ハウジング１２が正規嵌合されると、スカート部２７の下端がハウジング本体１１の受け面１６に上から当接するとともに、内側へ弾性復帰したランス１５の係止突起１５ａがスカート部２７の上面に対して上から係止し、これにより、分割ハウジング１２がハウジング本体１１に対して上下方向へのガタ付きを規制される。
【００２０】
第２コネクタ３０は、例えば電気機器の上面に形成されたものであって、上向きに突出することによりスカート部２７内への嵌合を可能とされた略角形をなす前後２つの筒部３１を有する。各筒部３１内には、分割ハウジング１２内の端子金具（図示せず）に接続されるタブ端子３２が上向きに収容されている。各筒部３１の左右両外側面には、夫々、軸線を左右方向に向けた円形のカムフォロア３３が突出形成されている。
【００２１】
両コネクタ１０，３０を嵌合する際には、スライダ２０を待機位置に保持した状態で第１コネクタ１０を第２コネクタ３０に被せるようにし、分割ハウジング１２のスカート部２７を第２コネクタ３０の筒部３１に浅く外嵌させる。すると、カムフォロア３３が誘導孔１８からカム溝２３の入口に進入する。この状態から、スライダ２０を押して後方へ移動させると、その移動に伴ない、カム溝２３とカムフォロア３３との係合によるカム作用により、第１コネクタ１０が第２コネクタ３０側へ引き寄せられて下降する。そして、スライダ２０が嵌合位置に達すると、両コネクタ１０，３０が正規の嵌合状態となる。
【００２２】
次に、本実施形態の作用を説明する。
図４に示すように、分割ハウジング１２がハウジング本体１１に対して正しく組み付けられている場合には、ランス１５が弾性復帰してガイド孔１７よりも内側に位置する。即ち、ランス１５がスライダ２０の摺動板２２の移動経路から内側へ外れた位置にある。したがって、この状態で待機位置にあるスライダ２０を嵌合位置側（後方）へ押せば、摺動板２２はランス１５と干渉することなくガイド孔１７内で円滑に移動する。
【００２３】
これに対し、図５に示すように、分割ハウジング１２がハウジング本体１１に対して正しく組み付けられていない場合は、ランス１５がスカート部２７との干渉により弾性撓みして摺動板２２の凹部２４内に入り込んだ状態、即ち、ランス１５が摺動板２２の移動経路内に進出した状態となる。したがって、この状態のままで待機位置のスライダ２０を嵌合位置側へ移動させようとしても、凹部２４の前側の内面がランス１５に対して前方から当接する。そして、この当接（干渉）によって摺動板２２の嵌合位置側への移動が規制されるのである。
【００２４】
上述のように本実施形態においては、分割ハウジング１２が正しく組み付けられていない状態では、ランス１５がスライダ２０に係止するので、スライダ２０の待機位置から嵌合位置への移動、即ち両コネクタ１０，３０の嵌合動作を規制することができる。また、スライダ２０が移動規制されることにより、分割ハウジング１２が正しく組み付けられていないことを検知することができる。
【００２５】
また、ランス１５は、分割ハウジング１２が不正な組付け状態のときにスライダ２０の待機位置から嵌合位置への移動を規制するための規制手段を兼ねているので、ランス１５とは別に専用の規制手段を設ける場合に比べて構造と形状の簡素化が図られている。
【００２６】
また、スライダ２０が嵌合位置へ移動して第１コネクタ１０と第２コネクタ３０が正規嵌合された状態では、図２に示すように、スライダ２０の摺動板２２の内面がランス１５の外面に当接することでそのランス１５の外側（即ち、分割ハウジング１２のスカート部２７から解離する方向）への弾性撓みが規制されるようにしたので、ハウジング本体１１に対して分割ハウジング１２を確実に抜止め（保持）することができる。
【００２７】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００２８】
（１）上記実施形態ではランスが規制手段を兼ねるようにしたが、本発明によれば、ランスとは別に専用の規制手段を設けてもよい。
【００２９】
（２）上記実施形態ではランスをハウジング本体に形成したが、本発明によれば、ランスを分割ハウジングに形成してもよい。
【００３０】
（３）上記実施形態ではスライダにおける規制手段（ランス）との係止手段を凹部としたが、本発明によれば、スライダにおける規制手段との係止手段は、突起状又は段差状としてもよい。
【図面の簡単な説明】
【００３１】
【図１】実施形態１においてスライダが待機位置にある状態をあわらす第１コネクタの一部切欠平面図
【図２】スライダが嵌合位置にある状態をあらわす第１コネクタの一部切欠平面図
【図３】スライダが待機位置にあって分割ハウジングが組付け途中の状態をあらわす第１コネクタの一部切欠平面図
【図４】図１のＡ−Ａ線断面図
【図５】図３のＢ−Ｂ線断面図
【図６】図１のＣ−Ｃ線断面図
【図７】図３のＤ−Ｄ線断面図
【図８】スライダが待機位置にある状態をあらわす第１コネクタの底面図
【図９】スライダの平面図
【図１０】スライダの底面図
【図１１】第２コネクタの平面図
【符号の説明】
【００３２】
１０…第１コネクタ
１１…ハウジング本体
１２…分割ハウジング
１５…ランス（規制手段）
２０…スライダ
２３…カム溝
３０…第２コネクタ
３３…カムフォロア
【図１】
2005116366.tif 000003
【図２】
2005116366.tif 000004
【図３】
2005116366.tif 000005
【図４】
2005116366.tif 000006
【図５】
2005116366.tif 000007
【図６】
2005116366.tif 000008
【図７】
2005116366.tif 000009
【図８】
2005116366.tif 000010
【図９】
2005116366.tif 000011
【図１０】
2005116366.tif 000012
【図１１】
2005116366.tif 000013